(57)【特許請求の範囲】
【請求項１】
対設した１対のエンドレスチェーン間に、チェーンの周回方向に沿って多数のスクリーンユニットを回転自在に架設し、各スクリーンユニットは１本の連結軸に、水路幅方向にスクリーンの目幅となる間隔に複数のスクリーンエレメントを櫛歯状に取り付けて構成するとともに、各スクリーンエレメントを連結軸に対し、周回方向の前後方向に突設し、かつ周回方向の前後に位置するスクリーンユニットのスクリーンエレメント間に挿入されるように連結軸の周回方向の前方向に突設した前方エレメント片と後方向に突設した後方エレメント片とを連結軸の軸方向に偏位させ設けた除塵機であって、前記スクリーンユニットを、後方エレメント片の端部が折れ曲がった主スクリーンエレメントのみで形成した主スクリーンユニットと、この主スクリーンエレメントの連結軸取付位置にレーキを突設して一体にしたレーキ付スクリーンエレメントと前記主スクリーンエレメントとを組み合わせて形成したレーキ付スクリーンユニットと、後方エレメント片の端部が直線状の副スクリーンエレメントのみで形成した副スクリーンユニットとの３種類のスクリーンユニットで構成し、この３種類のスクリーンユニットをチェーンの周回方向に沿って組み合わせて架設したことを特徴とする除塵機。
【請求項２】
レーキ付スクリーンユニットのレーキの周回方向の直前に副スクリーンユニットの後方エレメント片が位置するようにスクリーンユニットを組み合わせてチェーンの周回方向に沿って架設したことを特徴とする請求項１記載の除塵機。
【発明の詳細な説明】
【０００１】
【発明の属する技術分野】
本発明は河川の排水機場、上水または発電所などの取水口に設けられ、島状に固まった状態で流下する枯れ草、藁、その他草木類等のごみを確実に掻き揚げ除去するのに適した除塵機に関するものである。
【０００２】
【従来の技術】
従来、河川の排水機場や上水または発電所等の取水口には、河川を流下するごみをポンプ等に流入しないよう予めこの流下ごみを除去するために除塵機を設けている。この種の除塵機としては連続式の除塵機や、モノレーキの間欠式除塵機が一般的であり、連続式の除塵機として自動除塵機、Ｕ形除塵機等がある。しかし、これらの除塵機はスクリーンに沿って複数のレーキを回動させるもので、スクリーン面をレーキは一定時間毎に通過することになり、掻き揚げは連続でない。
【０００３】
【発明が解決しようとする課題】
上記従来の除塵機においては、経済性の点から平均流下ごみ量に応じた掻揚能力を有するものを配置しているため、降雨時など一時的に流下するごみ量が増大する場合、さらには流下する枯れ草、藁、その他草木類が島状に固まった状態となって流下する場合には掻揚能力に不足が生じ、それらの増大した流下ごみを掻き揚げることができず、さらには過荷重により除塵機を破損し掻揚不能に陥るという問題点があった。
【０００４】
本発明は上記従来の除塵機の有する問題点を解決し、製作が簡単で、通常の流下ごみに対しては勿論のこと、上記の如き一時的にごみ量が増大する場合や島状に固まった状態で流下する場合に対しても対応でき、かつこれをスクリーンにて捕捉した状態で連続して確実に掻き揚げ除去することができる除塵機を提供することを目的とする。
【０００５】
【課題を解決するための手段】
上記目的を達成するために、本発明の除塵機は、水路の両側に対設した１対のエンドレスチェーン間に、対設した１対のエンドレスチェーン間に、チェーンの周回方向に沿って多数のスクリーンユニットを回転自在に架設し、各スクリーンユニットは１本の連結軸に、水路幅方向にスクリーンの目幅となる間隔に複数のスクリーンエレメントを櫛歯状に取り付けて構成するとともに、各スクリーンエレメントを連結軸に対し、周回方向の前後方向に突設し、かつ周回方向の前後に位置するスクリーンユニットのスクリーンエレメント間に挿入されるように連結軸の周回方向の前方向に突設した前方エレメント片と後方向に突設した後方エレメント片とを連結軸の軸方向に偏位させ設けた除塵機であって、前記スクリーンユニットを、後方エレメント片の端部が折れ曲がった主スクリーンエレメントのみで形成した主スクリーンユニットと、この主スクリーンエレメントの連結軸取付位置にレーキを突設して一体にしたレーキ付スクリーンエレメントと前記主スクリーンエレメントとを組み合わせて形成したレーキ付スクリーンユニットと、後方エレメント片の端部が直線状の副スクリーンエレメントのみで形成した副スクリーンユニットとの３種類のスクリーンユニットで構成し、この３種類のスクリーンユニットをチェーンの周回方向に沿って組み合わせて架設したことを特徴とする。
【０００６】
上記の構成からなる本発明の除塵機は、上下に所要の傾斜角をもって張架し、かつ水路の取水口の両側端にて互いに対向した１対のエンドレスチェーン間にチェーンの周回方向に定ピッチで配設し、かつ回転自在にスクリーンユニットを架設連結して構成し、この各スクリーンユニットの連結軸に、水路幅方向に一定間隔に異なる形状のスクリーンエレメントを周回方向における前後にて各エレメントの前方エレメント片と後方エレメント片とが互いに干渉することなくチェーン屈曲点においても大きな隙間が生じることなく挿入するようにして取り付けているため、降雨時など一時的に流下するごみ量が増大する場合でも、さらには流下する枯れ草、藁、その他草木類が島状に固まった状態となって流下する場合でも、それらの流下ごみをスクリーンユニットの各エレメント間より流出することなく形状の異なるスクリーンユニットにて確実に捕捉し引掛けてスクリーンエレメントの移動により自然に掻き揚げることができる。
【０００７】
そして、スクリーンユニットを、後方エレメント片の端部が折れ曲がった主スクリーンエレメントのみで形成した主スクリーンユニットと、この主スクリーンエレメントの連結軸取付位置にレーキを突設して一体にしたレーキ付スクリーンエレメントと前記主スクリーンエレメントとを組み合わせて形成したレーキ付スクリーンユニットと、後方エレメント片の端部が直線状の副スクリーンエレメントのみで形成した副スクリーンユニットとの３種類のスクリーンユニットで構成し、この３種類のスクリーンユニットをチェーンの周回方向に沿って組み合わせて架設することにより、形状の異なる３種類のスクリーンユニットを水路の幅方向に、スクリーン周回方向に予め定めた配列で配置しているので、水路幅方向にて不均一にごみが流下してきても、また流下ごみの形状がどのようなものであっても確実に捕捉することができ、しかもレーキが突設されたスクリーンユニットにて大きな島状となったごみをも引掛けて確実に掻き上げることができる。
【０００８】
また、この場合、レーキ付スクリーンユニットのレーキの周回方向の直前に副スクリーンユニットの後方エレメント片が位置するようにスクリーンユニットを組み合わせてチェーンの周回方向に沿って架設することができる。
【０００９】
上記の構成からなる本発明の除塵機においては、レーキ付スクリーンユニットのレーキの周回方向の直前に先端がストレートとした副スクリーンユニットを配設しているので、レーキ直前のスクリーン上面部分に大きなスペースを確保することができるので、島状になったごみや大型のごみも確実にこのレーキにて引掛けて掻き揚げることができる。
【００１０】
【発明の実施の形態】
以下本発明の除塵機の実施の形態を図面にもとづいて説明する。
【００１１】
図において１は除塵機の上部に配した駆動用のスプロケットホイール、２は除塵機の下部に配した図示のようなＵ字形に屈曲形成したチェーンガイド、又は従動のスプロケットホイール、３はこの上下に対向するスプロケットホイール１，チェーンガイド２間に張架したエンドレスチェーンで、このエンドレスチェーン３は予め定めた除塵機の傾斜角に合わせて張架されるとともに、河川の排水機場や上水または発電所等の取水口の両側に互いに対向して配設され、かつこの互いに対向する一対のチェーン間に３種類のスクリーンユニットＡ、Ｂ、Ｃを予め定めた組み合わせで配列して各スクリーンユニットをそれぞれ回動自在に支持して構成する。各スクリーンユニットはその連結軸４をチェーン間に架設し、この各連結軸４に櫛歯状にして多数のスクリーンエレメント５又は６、７を突設し、スクリーンユニットを構成するスクリーンエレメントの形状の相違および配列の仕方により主スクリーンユニットＡ、レーキ付スクリーンユニットＢ、副スクリーンユニットＣとし、これらを一定の配列で配置してスクリーンＳを構成するものである。
【００１２】
取水口Ｐ等の両側に互いに対向して張架される１対のエンドレスチェーン３、３間に架け渡して配設される多数のスクリーンユニットの各連結軸４は、エンドレスチェーン３の周回方向（長手方向）に予め定めたピッチで配設するが、これはエンドレスチェーンのリンクに直接、またはリンクに突設したブラケットにてそれぞれ回転自在に支持するものである。
【００１３】
また、スクリーンユニットの連結軸４にはチェーン周回方向に沿って隣接する連結軸間ピッチより長い３種類のスクリーンエレメント５、６、７の１種、または２種を組み合わせ予め定めた配列で固定するとともに、図４乃至図６に示すように各スクリーンエレメント５、６、７は各連結軸４に取水口幅方向にスクリーンの目幅となる所定間隔にて並列的に多数を配列配置し櫛歯状に突設して一体としてスクリーンユニットを構成するものでこのスクリーンエレメントの間隔は構成するスクリーンＳの目幅となるようにして配設するものとする。
【００１４】
次に異なる形状をしたスクリーンエレメント５、６、７の説明をする。主スクリーンユニットＡおよびレーキ付スクリーンユニットＢを構成するための主スクリーンエレメント５は図４に詳示するように、その基端部に前記連結軸４を挿通するための取付孔５２を穿設し、この取付孔５２よりチェーンの周回方向の後方となる側を（図４では上方部分）後方エレメント片５Ａとし、この後方エレメント片５Ａの先端を少し上向きに屈曲させて折曲片５１とし、また取付孔５２より反対側を前方エレメント片５Ｂとし、この前方エレメント５Ｂを後方エレメント片５Ａより短くするとともに、取付孔位置にて後方エレメント片５Ａの軸線と前方エレメント片５Ｂの軸線とが図４（ｂ）に示すように偏位するように後方エレメント片の可及的に取付孔に近い位置で屈曲させる。この後方エレメント片５Ａに対する前方エレメント片５Ｂの偏位量はスクリーン周回方向の前後位置のスクリーンエレメントが互いにその間隙内に挿入される場合、互いに接触等の干渉が起こらないようにして定めるものとする。また、後方エレメント片５Ａの先端を屈曲させて形成した折曲片５１の角度は通常の流下するごみより少し固まって島状になっているものに対して捕捉するとともに、これを引掛けて掻き上げられるようにして定める。
【００１５】
また、レーキ付スクリーンエレメント６は図５に詳示するように、主スクリーンエレメント５と同じ形状に、基端部には前記連結軸４を挿通するための取付孔６２を穿設し、この取付孔６２より後方の後方エレメント片６Ａの先端を少し上向きに屈曲させて折曲片６１とし、また取付孔６２より前方の前方エレメント片６Ｂを後方エレメント片６Ａより短くするとともに、取付孔位置にて後方エレメント片６Ａの軸線と前方エレメント片６Ｂの軸線とが図示のように偏位するように後方エレメント片の可及的に取付孔に近い位置で屈曲させる。勿論この偏位量は図４の主スクリーンエレメント５と同様に並列するスクリーンエレメント間の隙間にスクリーン周回方向の前後位置のスクリーンエレメントが挿入される場合でも、接触等の干渉が起こらないようにして定めるものとする。さらにレーキ付スクリーンエレメント６の連結軸取付位置にレーキ６４を突設して一体に形成して構成する。従ってこのレーキ付スクリーンエレメント６はレーキを除いた形状、大きさは主スクリーンエレメント５と同じであり、また、主スクリーンエレメントでは引掛け掻き上げられない大きな島状となって流下してくるごみや木片等もスクリーンエレメントで捕捉された後、この突出したレーキにて確実に引掛けて掻き上げられるようにしてレーキの形、突出量を定めるものする。
【００１６】
また、主スクリーンエレメント５を少し変形させた副スクリーンエレメント７は図６に詳示するように、主スクリーンエレメント５と同様に基端部には前記連結軸４を挿通するための取付孔７２を穿設し、この取付孔７２より前方の前方エレメント片７Ｂを後方エレメント片７Ａより短くするとともに、取付孔位置にて後方エレメント片７Ａの軸線と前方エレメント片７Ｂの軸線とが図示のように偏位するように後方エレメント片の可及的に取付孔に近い位置で屈曲させる。そして後方エレメント片７Ａの先端はストレートとして、かつその長さも主スクリーンエレメントの後方エレメント片よりも少し短くするものである。
【００１７】
このように３種類の形状の異なった主スクリーンエレメント５、レーキ付スクリーンエレメント６、副スクリーンエレメント７を用いて主スクリーンユニットＡ、レーキ付スクリーンユニットＢ、副クリーンユニットＣを構成する。主スクリーンユニットＡは図２に示すように、１本の連結軸４に主スクリーンエレメント５のみを用いて、予め定めた配列で多数挿通し、かつ隣接する主スクリーンエレメント間隔をスクリーン目幅として保持しつつ、パイプ状の連結軸を内部から加圧膨出変形させて各主スクリーンエレメント５を固定して形成するものである。
【００１８】
また、レーキ付スクリーンユニットＢは、図示省略したが主スクリーンユニットと同様に、１本の連結軸４に前記主スクリーンエレメント５と、レーキ付スクリーンエレメント６とを用いて予め定めた配列で多数挿通し、隣接するスクリーンエレメント間隔をスクリーン目幅として保持しつつ、パイプ状の連結軸を内部から加圧膨出変形させて各スクリーンエレメント５、６を固定して形成するものである。この主スクリーンエレメント５と、レーキ付スクリーンエレメント６との配列は主スクリーンエレメント５を２枚に対し、レーキ付スクリーンエレメント６を１枚の比率で前記連結軸４に挿通するものであるが、この主スクリーンエレメント５に対するレーキ付スクリーンエレメント６の比率は自由に設定できるものである。
【００１９】
また、副スクリーンユニットＣは１本の連結軸４に、図２に示す主スクリーンユニットと同様にして、図６に示す副スクリーンエレメント７のみを用い、これを予め定めた配列で多数挿通し、かつ隣接する副スクリーンエレメント間隔をスクリーン目幅として保持しつつ、パイプ状の連結軸を内部から加圧膨出変形させて各副スクリーンエレメント７を固定して形成するもので、これはレーキ付スクリーンユニットの直上部に配設し、レーキ直前のスペースを大きくあけて、島状になったごみ、大型ごみのレーキによる引掛けを確実に行うものである。
【００２０】
このようにして各連結軸４に、３種類の形状の異なった１種または２種のスクリーンエレメントを櫛歯状に挿通固着して主スクリーンユニットＡと、レーキ付スクリーンユニットＢと、副スクリーンユニットＣとを形成し、この３種類のスクリーンユニットを適宜組み合わせて配列、例えば図１に示すようにエンドレスチェーンに沿って上方から主スクリーンユニットＡ、副スクリーンユニットＢ、主スクリーンユニットＡ、主スクリーンユニットＡ、副スクリーンユニットＣの配列で配置し、これを順次繰り返して各ユニットの連結軸を前記チェーンに係着し、所要のスクリーンＳを構成するが、この各ユニットの配列はレーキ付スクリーンユニットＢの直上、図示の実施例では１つおいた上流側を先端がストレートな副スクリーンユニットＣを配置するようにすれば図示のものに限定されることなく任意に組み合わせることができる。
【００２１】
なおこの場合、各ユニットの連結軸４に挿通して隣接する各スクリーンエレメント間は定ピッチとする。このように形成することにより３種のスクリーンユニットを使用しても前後のスクリーンユニットのスクリーンエレメントは互いに干渉することなくチェーンの駆動にて運行でき、しかもレーキ直前のスクリーン上面には大きなスペースが確保されるので大型のごみも確実に引掛け掻き揚げられるものである。
【００２２】
各スクリーンユニットを構成するスクリーンエレメント５、６、７は、ごみを掻き揚げ時、上述のように互いに前後即ち上下のものが互いに後方エレメント片の間隙に前方エレメント片が互いに挿入されて、これによりエンドレスチェーンの周回方向のスクリーンエレメントは恰も１本のスクリーンのようになり、これを取水口幅方向に複数本を定間隔で並列的に配設するが、チェーンの復路側即ち下降時には各スクリーンユニットのスクリーンエレメントは水平になるようにその揺動角は予め定められ、これによりスクリーンを流下した下流側の水流を阻害することのないようにする。
【００２３】
上部スプロケットホイール１の掻揚終了位置において、各スクリーンユニットの自重あるいは他の反転機構により強制的に反転させて掻き揚げたごみを脱荷させるとともに、このスクリーンユニットに付着したスクリーン渣を確実に除去するため櫛状スクレーパを除塵機の固定側に設けることもある。
【００２４】
さらに、各スクリーンユニットのＡ、Ｂ、Ｃは、掻揚上昇点即ちエンドレスチェーンの往路側より上部スプロケットホイールを経て復路側へ移る際、その自重にて反転する。このとき、一本の連結軸４には櫛歯状に多数のスクリーンエレメントを突設しているので、質量も大となり、従ってスクリーンユニットの反転時に衝撃及び振動が発生する。この反転時に衝撃及び振動を吸収して確実に反転できるように反転機構を設けることがある。
【００２５】
なお下部のＵ字形をしたガイドレール２に沿って、各スクリーンエレメントが往路側において正常な姿勢を保って上昇しごみを掻き揚げられるよう、スクリーンエレメントの先端を導く円弧形をしたガイドを設けることもある。
【００２６】
【発明の効果】
本発明除塵機の請求項１記載の発明においては、上下に所要の傾斜角をもって張架し、かつ水路の取水口の両側端にて互いに対向した１対のエンドレスチェーン間にチェーンの周回方向に定ピッチで配設し、かつ回転可能に架設連結した連結軸に、水路幅方向に一定間隔に異なる形状のスクリーンユニットのスクリーンエレメントを周回方向における前後にて互いに干渉することなく挿入するようして取り付けているため、降雨時など一時的に流下するごみ量が増大する場合、さらには流下する枯れ草、藁、その他草木類が島状に固まった状態となって流下する場合でも、それらの流下ごみをこの形状の異なるスクリーンエレメントにて捕捉し確実に引掛けてスクリーンユニットの移動により自然に掻き揚げられる利点がある。
【００２７】
そして、形状の異なるスクリーンエレメントを用いて異なる形状のスクリーンユニットとし、これを水路内において、スクリーン周回方向に予め定めた組み合わせで配列配置しているので、水路幅方向にて不均一にごみが流下してきても、また流下ごみの形状がどのようなものであっても確実に捕捉することができ、しかもレーキが突設されたスクリーンエレメントにて引掛けて掻き上げられる利点がある。
【００２８】
請求項２記載の発明においては、レーキ直前のスクリーン上面部分に大きなスペースを確保することができるので、島状になったごみや大型のごみも確実にこのレーキにて引掛けて掻き揚げることができる。
【図面の簡単な説明】
【図１】本発明の除塵機の一実施例の全形を示す側面図である。
【図２】スクリーンを構成するスクリーンユニットをチェーンに取り付けた状態を示す説明図である。
【図３】除塵機上端のスプロケットホイール部の拡大説明図である。
【図４】主スクリーンエレメントを示し、（ａ）は正面図、（ｂ）は側面図である。
【図５】レーキ付スクリーンエレメントを示し、（ａ）は正面図、（ｂ）は側面図である。
【図６】副スクリーンエレメントを示し、（ａ）は正面図、（ｂ）は側面図である。
【符号の説明】
Ｓ    スクリーン
Ｐ    取水口
Ｇ    ガイドレール
１    駆動スプロケットホイール
２    ガイドレール
３    エンドレスチェーン
４    連結軸
５    主スクリーンエレメント
５Ａ  後方エレメント片
５Ｂ  前方エレメント片
６    レーキ付スクリーンエレメント
６Ａ  後方エレメント片
６Ｂ  前方エレメント片
７    副スクリーンエレメント
７Ａ  後方エレメント片
７Ｂ  前方エレメント片
Ａ    主スクリーンユニット
Ｂ    レーキ付スクリーンユニット
Ｃ    副スクリーンユニット
【図１】
0003605230.tif 000002
【図２】
0003605230.tif 000003
【図３】
0003605230.tif 000004
【図４】
0003605230.tif 000005
【図５】
0003605230.tif 000006
【図６】
0003605230.tif 000007